(57)【要約】【課題】保持部材が筐体から外れることを抑制可能なＵＳＢ機器を提供する。【解決手段】一つの実施形態に係るＵＳＢ機器は、ＵＳＢコネクタと、筐体と、保持部材と、を備える。前記筐体は、収容口が設けられ、開口が設けられた第１の内面を有する。前記保持部材は、保持部と、支持部と、第１の延部と、を有する。前記保持部は、前記収容口に収められ、前記収容口の外部に位置する端部を有し、前記端部に開く挿通口が設けられ、前記ＵＳＢコネクタを保持する。前記支持部は、前記保持部から延びて前記収容口の内部に位置する。前記第１の延部は、前記収容口の内部に位置し、前記第１の内面と向かい合う第１の面と、前記第１の面に設けられた凸部と、を有し、前記支持部から、前記第１の内面に沿う方向であって、前記端部に近づく方向又は前記第１の方向と直交する方向に延び、弾性的に曲げられることが可能であり、前記凸部が前記開口に収容される。【選択図】図２
2018163494.tif 000002
【特許請求の範囲】
【請求項１】
ＵＳＢコネクタと、
第１の方向に開く収容口が設けられ、前記第１の方向と交差する方向に向いて前記収容口に面するとともに開口が設けられた第１の内面を有する、筐体と、
保持部と、支持部と、第１の延部と、を有する保持部材と、
を具備し、
前記保持部は、少なくとも一部が前記収容口に収められ、前記収容口の外部に位置する端部を有し、前記端部に開く挿通口が設けられ、前記ＵＳＢコネクタが前記挿通口を通って外部に突出した状態に当該ＵＳＢコネクタを保持し、
前記支持部は、前記保持部から延びて前記収容口の内部に位置し、
前記第１の延部は、前記収容口の内部に位置し、前記第１の内面と向かい合う第１の面と、前記第１の面に設けられた凸部と、を有し、前記支持部から、前記第１の内面に沿う方向であって、前記端部に近づく方向又は前記第１の方向と直交する方向に延び、弾性的に曲げられることが可能であり、前記凸部が前記開口に収容される、
ＵＳＢ機器。
【請求項２】
前記第１の延部は、前記支持部から、前記第１の内面に沿う方向であって前記端部に近づく方向に延び、
前記凸部は、前記第１の延部が延びる方向における前記第１の延部の先端から離間して配置された、
請求項１のＵＳＢ機器。
【請求項３】
少なくとも一部が前記筐体に収容され、前記第１の内面に向く第２の面と、前記第１の方向に向く第１の縁と、を有し、前記ＵＳＢコネクタが搭載される基板と、
前記第２の面に搭載される電子部品と、
をさらに具備し、
前記第１の延部は、前記支持部から、前記第１の内面に沿う方向であって前記端部に近づく方向に延び、
前記ＵＳＢコネクタは、前記第１の縁と向かい合う第２の縁を有し、
前記第１の方向において、前記第１の延部の先端は、前記電子部品と前記第２の縁との間に位置する、
請求項１又は請求項２のＵＳＢ機器。
【請求項４】
前記基板は、前記第２の面の反対側に位置する第３の面を有し、
前記筐体は、前記収容口に面するとともに前記第３の面に向く第２の内面を有し、
前記保持部材は、前記第１の内面よりも前記第２の面に近く且つ前記第２の面に面する第１の制限部と、前記第２の内面よりも前記第３の面に近く且つ前記第３の面に面する第２の制限部と、を有する、
請求項３のＵＳＢ機器。
【請求項５】
前記保持部材は、前記保持部から延びる第２の延部をさらに有し、前記基板の前記第１の縁に面し、
前記ＵＳＢコネクタは、前記第１の方向の反対の第２の方向における第３の縁を有し、
前記第３の縁は、前記収容口の内部に位置し、
前記第２の延部は、前記第３の縁に面する爪を有する、
請求項４のＵＳＢ機器。
【請求項６】
前記第２の内面は、前記第２の延部に面し、
前記第２の内面が向く方向において、前記第２の延部と前記第２の内面との間の距離は、前記爪と前記第３の縁とが対向する距離よりも短い、
請求項５のＵＳＢ機器。
【請求項７】
前記筐体は、前記第１の内面を含むとともに前記収容口に面する内周面を有し、
前記内周面に、突起及び凹部のうち一方が設けられ、
前記保持部材に、前記突起及び前記凹部のうち他方が設けられ、
前記突起は、前記凹部に収容され、
前記突起及び前記凹部のうち前記一方は、前記第１の方向に向く第３の制限部を含み、
前記突起及び前記凹部のうち前記他方は、前記第２の方向に向くとともに前記第３の制限部に面する第４の制限部を含む、
請求項５又は請求項６のＵＳＢ機器。
【発明の詳細な説明】
【技術分野】
【０００１】
本発明の実施形態は、ＵＳＢ機器に関する。
【背景技術】
【０００２】
ＵＳＢコネクタを有するＵＳＢ機器は、ＵＳＢコネクタの実装用の端子や基板を収容する筐体を有する。
【先行技術文献】
【特許文献】
【０００３】
【特許文献１】特開２００５−１８７３１号公報
【発明の概要】
【発明が解決しようとする課題】
【０００４】
ＵＳＢコネクタと筐体とが互いに離間するように引っ張られたとき、筐体がＵＳＢコネクタから外れることがある。
【課題を解決するための手段】
【０００５】
一つの実施形態に係るＵＳＢ機器は、ＵＳＢコネクタと、筐体と、保持部材と、を備える。前記筐体は、第１の方向に開く収容口が設けられ、前記第１の方向と交差する方向に向いて前記収容口に面するとともに開口が設けられた第１の内面を有する。前記保持部材は、保持部と、支持部と、第１の延部と、を有する。前記保持部は、少なくとも一部が前記収容口に収められ、前記収容口の外部に位置する端部を有し、前記端部に開く挿通口が設けられ、前記ＵＳＢコネクタが前記挿通口を通って外部に突出した状態に当該ＵＳＢコネクタを保持する。前記支持部は、前記保持部から延びて前記収容口の内部に位置する。前記第１の延部は、前記収容口の内部に位置し、前記第１の内面と向かい合う第１の面と、前記第１の面に設けられた凸部と、を有し、前記支持部から、前記第１の内面に沿う方向であって、前記端部に近づく方向又は前記第１の方向と直交する方向に延び、弾性的に曲げられることが可能であり、前記凸部が前記開口に収容される。
【図面の簡単な説明】
【０００６】
【図１】図１は、第１の実施形態に係るＵＳＢメモリを示す斜視図である。
【図２】図２は、第１の実施形態のＵＳＢメモリを分解して示す斜視図である。
【図３】図３は、第１の実施形態のＵＳＢメモリを示す断面図である。
【図４】図４は、第１の実施形態のＵＳＢメモリを図３のＦ４-Ｆ４線に沿って示す断面図である。
【図５】図５は、第１の実施形態のＵＳＢメモリの一部を拡大して示す断面図である。
【図６】図６は、第１の実施形態のＵＳＢメモリを、外筐体を除いて示す平面図である。
【図７】図７は、第１の実施形態のＵＳＢメモリの一部を、外筐体を除いて示す側面図である。
【図８】図８は、第１の実施形態のＵＳＢメモリの構成の一例を示すブロック図である。
【図９】図９は、第２の実施形態に係るＵＳＢメモリを、外筐体を除いて示す平面図である。
【発明を実施するための形態】
【０００７】
（第１の実施形態）
以下に、第１の実施形態について、図１乃至図８を参照して説明する。なお、本明細書において、実施形態に係る構成要素及び当該要素の説明について、複数の表現が記載されることがある。複数の表現がされた構成要素及び説明は、記載されていない他の表現がされても良い。さらに、複数の表現がされない構成要素及び説明も、記載されていない他の表現がされても良い。
【０００８】
図１は、第１の実施形態に係るＵＳＢフラッシュドライブ（以下、ＵＳＢメモリと称する）１０を示す斜視図である。図２は、第１の実施形態のＵＳＢメモリ１０を分解して示す斜視図である。
【０００９】
ＵＳＢメモリ１０は、ＵＳＢ機器の一例であり、例えば、電子機器、半導体記憶装置、半導体装置、記憶装置、補助記憶装置、リムーバブルメディア、又は装置とも称され得る。ＵＳＢ機器は、例えば、タブレット、スマートフォン、携帯電話、ＩＣレコーダ、家庭用電気機械器具、ハードディスクドライブ（ＨＤＤ）若しくはソリッドステートドライブ（ＳＳＤ）のような補助記憶装置、機器と他の機器とを接続するためのケーブル若しくはアダプタ、又は他のＵＳＢ機器であっても良い。
【００１０】
図１に示すように、本実施形態におけるＵＳＢメモリ１０は、例えば、略直方体状に形成される。ＵＳＢメモリ１０は、他の形状に形成されても良い。各図面に示されるように、本明細書において、Ｘ軸、Ｙ軸及びＺ軸が定義される。Ｘ軸とＹ軸とＺ軸とは、互いに直交する。Ｘ軸は、ＵＳＢメモリ１０の幅に沿う。Ｙ軸は、ＵＳＢメモリ１０の長さに沿う。Ｚ軸は、ＵＳＢメモリ１０の厚さに沿う。
【００１１】
図１及び図２に示すように、ＵＳＢメモリ１０は、ケース１１と、基板１２と、二つのフラッシュメモリ１３と、コントローラ１４と、ＵＳＢコネクタ１５とを有する。フラッシュメモリ１３は、例えば、不揮発性メモリ、メモリ、記憶部、又は電子部品とも称され得る。コントローラ１４は、電子部品の一例であり、例えば、制御部とも称され得る。ＵＳＢコネクタ１５は、例えば、プラグ、接続端子、挿入部、又は接続部とも称され得る。
【００１２】
ケース１１は、基板１２と、フラッシュメモリ１３と、コントローラ１４と、ＵＳＢコネクタ１５の一部とを収容する。ＵＳＢコネクタ１５は、ケース１１から突出し、例えばケース１１に取り付け可能な蓋（キャップ）により覆われ得る。ケース１１は、例えば、合成樹脂によって作られる。ケース１１は、他の材料によって作られても良い。
【００１３】
基板１２は、例えば、プリント回路板（ＰＣＢ）である。基板１２は、フレキシブルプリント回路板（ＦＰＣ）のような他の基板であっても良い。基板１２は、Ｘ‐Ｙ平面上に広がる大よそ四角形（矩形）の板状に形成される。基板１２は他の形状に形成されても良い。
【００１４】
図３は、第１の実施形態のＵＳＢメモリ１０を示す断面図である。図３に示すように、基板１２は、第１の実装面２１と、第２の実装面２２とを有する。第１の実装面２１は、第２の面の一例である。第２の実装面２２は、第３の面の一例である。
【００１５】
第１の実装面２１は、Ｚ軸に沿う正方向（Ｚ軸の正方向、Ｚ軸の矢印が向く方向）に向く、略平坦な面である。第２の実装面２２は、Ｚ軸に沿う負方向（Ｚ軸の負方向、Ｚ軸の矢印の反対方向）に向く、略平坦な面である。第２の実装面２２は、第１の実装面２１の反対側に位置する。
【００１６】
図４は、第１の実施形態のＵＳＢメモリ１０を図３のＦ４-Ｆ４線に沿って示す断面図である。図４に示すように、基板１２は、第１の端縁２５と、第２の端縁２６と、第１の側縁２７と、第２の側縁２８とを有する。第１の端縁２５は、第１の縁の一例である。第１の端縁２５、第２の端縁２６、第１の側縁２７、及び第２の側縁２８はそれぞれ、第１の実装面２１の端と、第２の実装面２２の端とを接続する。
【００１７】
第１の端縁２５は、Ｙ軸に沿う正方向（Ｙ軸の正方向、Ｙ軸の矢印が向く方向）に向く基板１２の端であり、Ｘ軸に沿う方向に延びる。Ｙ軸に沿う正方向は、第１の方向の一例である。第２の端縁２６は、Ｙ軸に沿う負方向（Ｙ軸の負方向、Ｙ軸の矢印の反対方向）に向く基板１２の端である。Ｙ軸に沿う負方向は、Ｙ軸に沿う正方向の反対方向であり、第２の方向の一例である。このように、第１の端縁２５及び第２の端縁２６は、Ｙ軸に沿う方向に向く。Ｙ軸に沿う方向は、Ｙ軸に沿う正方向とＹ軸に沿う負方向とを含む。第２の端縁２６は、第１の端縁２５からＹ軸に沿う負方向に離間するとともに、Ｘ軸に沿う方向に延びる。
【００１８】
第１の側縁２７は、Ｘ軸に沿う正方向（Ｘ軸の正方向、Ｘ軸の矢印が向く方向）に向く基板１２の端であり、Ｙ軸に沿う方向に延びる。第２の側縁２８は、Ｘ軸に沿う負方向（Ｘ軸の負方向、Ｘ軸の矢印の反対方向）に向く基板１２の端である。このように、第１の側縁２７及び第２の側縁２８は、Ｘ軸に沿う方向に向く。Ｘ軸に沿う方向は、Ｘ軸に沿う正方向と、Ｘ軸に沿う負方向とを含む。第２の側縁２８は、第１の側縁２７からＸ軸に沿う負方向に離間するとともに、Ｙ軸に沿う方向に延びる。
【００１９】
基板１２は、第１の実装面２１を平面視した場合において、Ｙ軸に沿う方向に延びる略長方形形状を呈する。Ｙ軸に沿う方向における第１の端縁２５と第２の端縁２６との間の距離は、Ｘ軸に沿う方向における第１の側縁２７と第２の側縁２８との間の距離よりも長い。
【００２０】
第１の端縁２５及び第２の端縁２６はそれぞれ、基板１２の短辺を形成する。第１の側縁２７及び第２の側縁２８はそれぞれ、基板１２の長辺を形成する。Ｙ軸に沿う方向は、基板１２の長辺方向と称され得る。Ｘ軸に沿う方向は、基板１２の短辺方向と称され得る。
【００２１】
図３に示すように、二つのフラッシュメモリ１３は、基板１２の第１の実装面２１及び第２の実装面２２に搭載される。例えば、フラッシュメモリ１３に設けられた複数の端子が、第１の実装面２１及び第２の実装面２２に設けられた複数の電極に、半田によって電気的に接続される。フラッシュメモリ１３は、第１の実装面２１及び第２の実装面２２のいずれか一方に搭載されても良い。
【００２２】
フラッシュメモリ１３は、例えばＮＡＮＤ型フラッシュメモリである。なお、ＵＳＢメモリ１０は、ＮＡＮＤ型フラッシュメモリに限らず、ＮＯＲ型フラッシュメモリ、磁気抵抗メモリ（Ｍａｇｎｅｔｏｒｅｓｉｓｔｉｖｅ  Ｒａｎｄｏｍ  Ａｃｃｅｓｓ  Ｍｅｍｏｒｙ：ＭＲＡＭ）、相変化メモリ（Ｐｈａｓｅ  ｃｈａｎｇｅ  Ｒａｎｄｏｍ  Ａｃｃｅｓｓ  Ｍｅｍｏｒｙ：ＰＲＡＭ）、抵抗変化型メモリ（Ｒｅｓｉｓｔｉｖｅ  Ｒａｎｄｏｍ  Ａｃｃｅｓｓ  Ｍｅｍｏｒｙ：ＲｅＲＡＭ）、又は強誘電体メモリ（Ｆｅｒｒｏｅｌｅｃｔｒｉｃ  Ｒａｎｄｏｍ  Ａｃｃｅｓｓ  Ｍｅｍｏｒｙ：ＦｅＲＡＭ）のような他の不揮発性メモリを有しても良い。
【００２３】
コントローラ１４は、基板１２の第１の実装面２１に搭載される。例えば、コントローラ１４に設けられた複数の端子が、第１の実装面２１に設けられた複数の電極に、半田によって電気的に接続される。コントローラ１４は、第２の実装面２２に搭載されても良い。コントローラ１４は、例えば、フラッシュメモリ１３を制御し、ＵＳＢメモリ１０とホスト装置との通信を制御する。コントローラ１４は、Ｙ軸に沿う方向において、フラッシュメモリ１３と、基板１２の第１の端縁２５との間に位置する。
【００２４】
ＵＳＢコネクタ１５は、例えば、ＵＳＢ３．１Ｔｙｐｅ‐Ａ規格又はＵＳＢ３．０Ｔｙｐｅ‐Ａ規格に準拠するオスコネクタ（プラグ）である。ＵＳＢコネクタ１５は、大よそＹ軸に沿う方向に延びる略直方体状に形成される。ＵＳＢコネクタ１５は、挿入部３１と、実装部３２とを有する。
【００２５】
挿入部３１は、大よそＹ軸に沿う方向に延びる略直方体状に形成される。挿入部３１は、第１の端部３１ａと第２の端部３１ｂとを有する。第２の端部３１ｂは、第２の縁の一例である。第１の端部３１ａは、Ｙ軸に沿う正方向における挿入部３１の端部である。第２の端部３１ｂは、Ｙ軸に沿う負方向における挿入部３１の端部（縁）であり、第１の端部３１ａの反対側に位置する。第２の端部３１ｂは、基板１２の第１の端縁２５と向かい合う。
【００２６】
図５は、第１の実施形態のＵＳＢメモリ１０の一部を拡大して示す断面図である。図５に示すように、挿入部３１は、接続口３１ｃと、複数の接続端子３１ｄとを有する。接続口３１ｃは、第１の端部３１ａに開く開口である。接続端子３１ｄは、接続口３１ｃの内部に位置する電極である。挿入部３１は、例えば、八つの接続端子３１ｄを有する。なお、ＵＳＢコネクタ１５がＵＳＢ２．０規格に準拠する場合、挿入部３１は、四つの接続端子３１ｄを有する。接続端子３１ｄの数は、これらの例に限らない。
【００２７】
挿入部３１は、例えば、ホスト装置側のＵＳＢコネクタ（メスコネクタ、ソケット）に挿入される。このとき、ソケットの接続端子が接続口３１ｃに挿入され、接続端子３１ｄと電気的に接続される。これにより、ＵＳＢメモリ１０とホスト装置とが電気的に接続される。
【００２８】
実装部３２は、挿入部３１の第２の端部３１ｂからＹ軸に沿う負方向に延びる。実装部３２は、基板１２の第２の実装面２２の一部を覆う。実装部３２は、先端部３２ａを有する。先端部３２ａは、第３の縁の一例である。
【００２９】
先端部３２ａは、挿入部３１の反対側に位置する実装部３２の端部である。先端部３２ａは、Ｙ軸に沿う負方向におけるＵＳＢコネクタ１５の端（縁）を形成する。一方、挿入部３１の第１の端部３１ａが、Ｙ軸に沿う正方向におけるＵＳＢコネクタ１５の端（縁）を形成する。
【００３０】
実装部３２は、複数の実装ピン３２ｂを有する。複数の実装ピン３２ｂは、複数の接続端子３１ｄに接続される。実装ピン３２ｂは、第２の実装面２２に設けられた複数の電極に、半田によって電気的に接続される。すなわち、ＵＳＢコネクタ１５は、基板１２の第２の実装面２２に搭載される。なお、ＵＳＢコネクタ１５は、第１の実装面２１に搭載されても良い。
【００３１】
Ｚ軸に沿う方向において、ＵＳＢコネクタ１５の長さ（厚さ）は、基板１２の長さ（厚さ）よりも長い。このため、ＵＳＢコネクタ１５が第２の実装面２２に搭載されると、挿入部３１の一部が基板１２の第１の実装面２１から、Ｚ軸に沿う正方向に張り出す。
【００３２】
図２に示すように、ケース１１は、内筐体４１と、外筐体４２とを有する。内筐体４１は、保持部材の一例である。外筐体４２は、筐体の一例である。内筐体４１は、ＵＳＢコネクタ１５を外筐体４２に保持する。
【００３３】
図５に示すように、内筐体４１は、保持部５１と、第１の壁５２と、第１のバネ部５３と、第２の壁５５と、第２のバネ部５６とを有する。第１の壁５２は、支持部の一例である。第１のバネ部５３は、第１の延部の一例である。第２のバネ部５６は、第２の延部の一例である。
【００３４】
保持部５１は、略四角形の筒状（枠状）に形成される。保持部５１は、外端５１ａと、内端５１ｂと、内周面５１ｃと、外周面５１ｄとを有する。外端５１ａは、端部の一例である。外端５１ａは、Ｙ軸に沿う正方向における保持部５１の端部である。内端５１ｂは、Ｙ軸に沿う負方向における保持部５１の端部である。
【００３５】
内周面５１ｃ及び外周面５１ｄはそれぞれ、外端５１ａと内端５１ｂとを接続する。内周面５１ｃは、筒状の保持部５１の内側に向く。外周面５１ｄは、内周面５１ｃの反対側に位置し、筒状の保持部５１の外側に向く。
【００３６】
保持部５１に、挿通口６１が設けられる。挿通口６１は、保持部５１をＹ軸に沿う方向に貫通し、外端５１ａと内端５１ｂとに開く。挿通口６１は、ＵＳＢコネクタ１５の挿入部３１と略同一の形状を有する略四角形の孔である。なお、挿通口６１の形状はこの例に限らない。
【００３７】
ＵＳＢコネクタ１５の挿入部３１は、挿通口６１を通ってケース１１の外部に突出する。保持部５１の内周面５１ｃは、挿入部３１に接触することで、ＵＳＢコネクタ１５が内筐体４１に対してＸ軸に沿う方向及びＺ軸に沿う方向に移動することを制限する。すなわち、内筐体４１は、ＵＳＢコネクタ１５が挿通口６１を通って外部に突出した状態に当該ＵＳＢコネクタ１５を保持する。
【００３８】
さらに、図４に示すように、保持部５１の内端５１ｂは、基板１２の第１の端縁２５に接触することで、基板１２が内筐体４１に対してＹ軸に沿う正方向に移動することを制限する。このため、保持部５１の内端５１ｂは、基板１２に搭載されたＵＳＢコネクタ１５が、内筐体４１に対してＹ軸に沿う正方向に移動することを制限する。
【００３９】
図５に示すように、保持部５１の外周面５１ｄに、複数の窪み６２が設けられる。窪み６２に、例えば、上述の蓋に設けられた爪が嵌合する。これにより、蓋がケース１１に取り外し可能に取り付けられる。
【００４０】
第１の壁５２は、保持部５１の内端５１ｂからＹ軸に沿う負方向に延びる。第１の壁５２は、Ｘ-Ｙ平面上に広がる略四角形の板状に形成される。なお、第１の壁５２の形状はこの例に限らない。基板１２の第１の実装面２１が、間隔を介して第１の壁５２に向く。
【００４１】
図６は、第１の実施形態のＵＳＢメモリ１０を、外筐体４２を除いて示す平面図である。図６に示すように、第１の壁５２に、第１の貫通口５２ａが設けられる。第１の貫通口５２ａは、Ｚ軸に沿う方向に第１の壁５２を貫通する。第１のバネ部５３は、第１の貫通口５２ａの内部に位置し、第１の貫通口５２ａを形成する第１の壁５２の内縁５２ｂから延びる。
【００４２】
第１のバネ部５３は、Ｘ-Ｙ平面上に広がる略四角形の板状に形成される。なお、第１のバネ部５３の形状はこの例に限らない。第１のバネ部５３は、表面５３ａを有する。表面５３ａは、第１の面の一例である。表面５３ａは、Ｚ軸に沿う正方向に向く略平坦な面である。表面５３ａは、基板１２及びＵＳＢコネクタ１５の反対側に向く。
【００４３】
第１のバネ部５３は、第１の壁５２から、Ｙ軸に沿う正方向に延びる。このため、第１のバネ部５３は、Ｚ軸に沿う負方向の平面視において、保持部５１に近づく方向に延びる。Ｚ軸に沿う負方向は、表面５３ａに向く方向である。なお、保持部５１に近づく方向は、Ｙ軸に沿う正方向に限らず、Ｚ軸に沿う正方向の成分を有する斜め方向（例えば、図６における右上方向又は左上方向）であっても良い。
【００４４】
第１のバネ部５３は、第１の壁５２と第１のバネ部５３との接続部６５を支点（軸）に、弾性的に曲げられることが可能である。すなわち、第１のバネ部５３は、接続部６５を固定端とする片持ち梁状に、基板１２に近づく方向、及び基板１２から遠ざかる方向に、弾性的に曲げられることが可能である。
【００４５】
第１のバネ部５３は、凸部６６をさらに有する。凸部６６は、第１のバネ部５３の表面５３ａに設けられ、Ｚ軸に沿う正方向に突出する。凸部６６は、略直方体状に形成される。凸部６６は、他の形状を有しても良い。凸部６６は、第１の係止面６６ａと、第２の係止面６６ｂとを有する。
【００４６】
第１の係止面６６ａは、Ｙ軸に沿う正方向に向く略平坦な面である。第２の係止面６６ｂは、第１の係止面６６ａの反対側に位置し、Ｙ軸に沿う負方向に向く略平坦な面である。第２の係止面６６ｂは、Ｙ軸に沿う正方向に向かうに従って表面５３ａから遠ざかるような斜面であっても良い。
【００４７】
凸部６６は、第１のバネ部５３の先端５３ｂから、Ｙ軸に沿う負方向に離間した位置に配置される。先端５３ｂは、接続部６５の反対側に位置する第１のバネ部５３の端部である。言い換えると、先端５３ｂは、第１のバネ部５３が延びる方向における第１のバネ部５３の先端である。このため、表面５３ａの一部は、凸部６６と先端５３ｂとの間に位置する。
【００４８】
図５に示すように、Ｙ軸に沿う正方向において、第１のバネ部５３の先端５３ｂは、コントローラ１４とＵＳＢコネクタ１５の挿入部３１の第２の端部３１ｂとの間に位置する。なお、先端５３ｂの位置はこの例に限らない。
【００４９】
第２の壁５５は、保持部５１の内端５１ｂからＹ軸に沿う負方向に延びる。第２の壁５５は、Ｘ-Ｙ平面上に広がる略四角形の板状に形成される。なお、第２の壁５５の形状はこの例に限らない。基板１２の第２の実装面２２が、間隔を介して第２の壁５５に向く。
【００５０】
第２の壁５５に、第２の貫通口５５ａが設けられる。第２の貫通口５５ａは、Ｚ軸に沿う方向に第２の壁５５を貫通する。第２のバネ部５６は、保持部５１の内端５１ｂからＹ軸に沿う負方向に延び、第２の貫通口５５ａの内部に位置する。
【００５１】
第２のバネ部５６は、Ｘ-Ｙ平面上に広がる略四角形の板状に形成される。なお、第２のバネ部５６の形状はこの例に限らない。第２のバネ部５６は、内面５６ａと外面５６ｂとを有する。
【００５２】
内面５６ａは、Ｚ軸に沿う正方向に向く略平坦な面である。内面５６ａは、間隔を介して基板１２に向く。内面５６ａは、ＵＳＢコネクタ１５の実装部３２に面する。外面５６ｂは、内面５６ａの反対側に位置し、Ｚ軸に沿う負方向に向く略平坦な面である。
【００５３】
第２のバネ部５６は、保持部５１と第２のバネ部５６との接続部６７を支点（軸）に、弾性的に曲げられることが可能である。すなわち、第２のバネ部５６は、接続部６７を固定端とする片持ち梁状に、基板１２に近づく方向、及び基板１２から遠ざかる方向に、弾性的に曲げられることが可能である。
【００５４】
第２のバネ部５６は、爪６８と、複数のリブ６９とをさらに有する。爪６８は、第２のバネ部５６の内面５６ａに設けられ、Ｚ軸に沿う正方向に突出する。爪６８は、ＵＳＢコネクタ１５の実装部３２の先端部３２ａに引っ掛けられる。言い換えると、爪６８は、先端部３２ａに面する。爪６８は、先端部３２ａに接触することで、ＵＳＢコネクタ１５が内筐体４１に対してＹ軸に沿う負方向に移動することを制限する。
【００５５】
複数のリブ６９は、第２のバネ部５６の外面５６ｂに設けられる。リブ６９は、Ｙ軸に沿う方向に延びる。複数のリブ６９は、第２のバネ部５６を補強し、実装部３２の先端部３２ａが爪６８をＹ軸に沿う負方向に押した場合に、第２のバネ部５６が損傷することを抑制する。
【００５６】
図７は、第１の実施形態のＵＳＢメモリ１０の一部を、外筐体４２を除いて示す側面図である。図７に示すように、内筐体４１は、第１の側壁７１と、第２の側壁７２と、突起７３とをさらに有する。
【００５７】
内筐体４１は、Ｘ軸に沿う方向における第１の壁５２の両端からＺ軸に沿う負方向に延びる二つの第１の側壁７１を有する。第１の側壁７１は、第１の端面７１ａを有する。第１の端面７１ａは、第１の制限部の一例である。第１の端面７１ａは、Ｚ軸に沿う負方向における第１の側壁７１の端である。
【００５８】
内筐体４１は、Ｘ軸に沿う方向における第２の壁５５の両端からＺ軸に沿う正方向に延びる二つの第２の側壁７２を有する。第２の側壁７２は、第２の端面７２ａを有する。第２の端面７２ａは、第２の制限部の一例である。第２の端面７２ａは、Ｚ軸に沿う正方向における第２の側壁７２の端である。
【００５９】
第１の端面７１ａの少なくとも一部は、基板１２の第１の実装面２１に面する。第１の端面７１ａは、第１の実装面２１に接触することで、基板１２が内筐体４１に対してＺ軸に沿う正方向に移動することを制限する。
【００６０】
第２の端面７２ａの少なくとも一部は、基板１２の第２の実装面２２に面する。第２の端面７２ａは、第２の実装面２２に接触することで、基板１２が内筐体４１に対してＺ軸に沿う負方向に移動することを制限する。
【００６１】
内筐体４１に、Ｘ軸に沿う方向における保持部５１の内端５１ｂの両端からＹ軸に沿う負方向に延びる二つの突起７３が設けられる。突起７３は、第１の側壁７１と第２の側壁７２とを接続する。突起７３は、Ｘ軸に沿う方向において、第１及び第２の側壁７１，７２から、基板１２の反対側（外側）に突出する。
【００６２】
突起７３は、Ｙ-Ｚ平面上に広がる略直方体の板状に形成され、第１の側端面７３ａと、第２の側端面７３ｂと、第３の側端面７３ｃとを有する。第１の側端面７３ａは、第４の制限部の一例である。
【００６３】
第１の側端面７３ａは、Ｙ軸に沿う負方向に向く略平坦な面である。第２の側端面７３ｂは、Ｚ軸に沿う正方向に向く略平坦な面である。第３の側端面７３ｃは、第２の側端面７３ｂの反対側に位置し、Ｚ軸に沿う負方向に向く略平坦な面である。
【００６４】
図２に示すように、外筐体４２は、Ｙ軸に沿う方向に延びるとともに一方の端部が閉じられた筒状に形成される。なお、外筐体４２は、他の形状に形成されても良い。外筐体４２は、開端部８１と、閉端部８２とを有する。
【００６５】
開端部８１は、Ｙ軸に沿う正方向に向く。閉端部８２は、開端部８１の反対側に位置し、Ｙ軸に沿う負方向に向く。外筐体４２に、開端部８１に開く収容口８４が設けられる。すなわち、収容口８４は、Ｙ軸に沿う正方向に開く。
【００６６】
収容口８４は、開端部８１からＹ軸に沿う負方向に延びる有底の穴（凹部）である。なお、収容口８４は、閉端部８２にも開口する貫通孔であっても良い。収容口８４に、内筐体４１の一部と、基板１２と、フラッシュメモリ１３と、コントローラ１４と、ＵＳＢコネクタ１５の実装部３２と、が収容される。このため、実装部３２の先端部３２ａは、収容口８４の内部に位置する。
【００６７】
図５に示すように、内筐体４１の保持部５１の一部が、収容口８４の外に位置する。外端５１ａと、外周面５１ｄの一部と、保持部５１に設けられた窪み６２とは、収容口８４の外部に位置する。一方、第１の壁５２、第１のバネ部５３、第２の壁５５、第２のバネ部５６、爪６８、第１の側壁７１、第２の側壁７２、及び突起７３は、収容口８４の内部に位置する。
【００６８】
図４及び図５に示すように、外筐体４２は、収容口８４を規定し、収容口８４に面する内周面８５を有する。内周面８５は、第１の内面８５ａ、第２の内面８５ｂ、第３の内面８５ｃ、第４の内面８５ｄを含む。第１乃至第４の内面８５ａ，８５ｂ，８５ｃ，８５ｄはそれぞれ、収容口８４の一部を規定し、収容口８４に面する。
【００６９】
第１の内面８５ａは、Ｚ軸に沿う負方向に向く略平坦な面である。Ｚ軸に沿う負方向は、第１の方向と交差する方向の一例である。第２の内面８５ｂは、Ｚ軸に沿う正方向に向く略平坦な面である。第２の内面８５ｂは、第１の内面８５ａからＺ軸に沿う方向に離間した位置に設けられ、第１の内面８５ａに向く。
【００７０】
第３の内面８５ｃは、Ｘ軸に沿う負方向に向く略平坦な面である。第４の内面８５ｄは、Ｘ軸に沿う正方向に向く略平坦な面である。第４の内面８５ｄは、第３の内面８５ｃからＸ軸に沿う方向に離間した位置に設けられ、第３の内面８５ｃに向く。
【００７１】
図５に示すように、第１の内面８５ａは、保持部５１の外周面５１ｄの一部、第１の壁５２、及び第１のバネ部５３の表面５３ａに面する。このため、第１の内面８５ａと第１のバネ部５３の表面５３ａとは向かい合う。第１の内面８５ａと、保持部５１の外周面５１ｄの一部、第１の壁５２、及び第１のバネ部５３の表面５３ａとは、互いに接触しても良いし、僅かに離間しても良い。
【００７２】
また、基板１２の第１の実装面２１は、第１の内面８５ａに向く。Ｚ軸に沿う方向において、第１の内面８５ａと第１の実装面２１との間の距離は、第１の側壁７１の第１の端面７１ａと第１の実装面２１との間の距離よりも長い。このため、第１の端面７１ａは、第１の内面８５ａよりも第１の実装面２１に近く且つ第１の実装面２１に面する。
【００７３】
第２の内面８５ｂは、保持部５１の外周面５１ｄの一部、第２の壁５５、及び第２のバネ部５６のリブ６９に面する。第２の内面８５ｂと第２のバネ部５６の外面５６ｂとは向かい合う。第２の内面８５ｂと、保持部５１の外周面５１ｄの一部、第２の壁５５、及びリブ６９とは、互いに接触しても良いし、僅かに離間しても良い。
【００７４】
また、第２の内面８５ｂは、基板１２の第２の実装面２２に向く。Ｚ軸に沿う方向において、第２の内面８５ｂと第２の実装面２２との間の距離は、第２の側壁７２の第２の端面７２ａと第２の実装面２２との間の距離よりも長い。このため、第２の端面７２ａは、第２の内面８５ｂよりも第２の実装面２２に近く且つ第２の実装面２２に面する。
【００７５】
第３の内面８５ｃ及び第４の内面８５ｄはそれぞれ、保持部５１の外周面５１ｄの一部、第１の側壁７１、第２の側壁７２、及び突起７３に面する。第３の内面８５ｃ及び第４の内面８５ｄと、保持部５１の外周面５１ｄの一部、第１の側壁７１、第２の側壁７２、及び突起７３とは、互いに接触しても良いし、僅かに離間しても良い。
【００７６】
第１乃至第４の内面８５ａ，８５ｂ，８５ｃ，８５ｄは、保持部５１の外周面５１ｄと接触することで、内筐体４１が外筐体４２に対してＸ軸に沿う方向及びＺ軸に沿う方向に移動することを制限する。
【００７７】
外筐体４２に、開口８６が設けられる。開口８６は、例えば貫通孔であり、第１の内面８５ａに開口する。なお、開口８６は、第１の内面８５ａに開口する有底の穴であっても良い。
【００７８】
開口８６は、凸部６６よりも大きい。内筐体４１の一部が収容口８４に収容されると、凸部６６が開口８６に入る。言い換えると、凸部６６が開口８６に収容される。凸部６６が開口８６に収容された状態において、第１のバネ部５３の表面５３ａは、第１の内面８５ａに沿って延びる。第１のバネ部５３の表面５３ａは、第１の内面８５ａに接触しても良いし、第１の内面８５ａから僅かに離間しても良い。
【００７９】
外筐体４２は、第１の受け面８６ａと第２の受け面８６ｂとを有する。第１の受け面８６ａ及び第２の受け面８６ｂは、開口８６の内面である。第１の受け面８６ａは、Ｙ軸に沿う負方向に向く略平坦な面である。第２の受け面８６ｂは、Ｙ軸に沿う正方向に向く略平坦な面であり、第１の受け面８６ａと向かい合う。
【００８０】
凸部６６が開口８６に収容された状態において、第１の受け面８６ａは、凸部６６の第１の係止面６６ａと向かい合う。さらに、第２の受け面８６ｂは、凸部６６の第２の係止面６６ｂと向かい合う。第１の受け面８６ａ及び第２の受け面８６ｂと、第１の係止面６６ａ及び第２の係止面６６ｂとは、互いに接触しても良いし、僅かに離間しても良い。
【００８１】
凸部６６が開口８６に収容されることで、凸部６６が設けられた第１のバネ部５３は、外筐体４２に対して内筐体４１がＹ軸に沿う正方向及びＹ軸に沿う負方向に移動することを制限する。すなわち、凸部６６の第１の係止面６６ａが開口８６の第１の受け面８６ａに接触することで、内筐体４１が外筐体４２に対してＹ軸に沿う正方向に移動することが制限される。また、凸部６６の第２の係止面６６ｂが開口８６の第２の受け面８６ｂに接触することで、内筐体４１が外筐体４２に対してＹ軸に沿う負方向に移動することが制限される。
【００８２】
図２及び図４に示すように、第３の内面８５ｃと第４の内面８５ｄとにそれぞれ、凹部８７が設けられる。凹部８７は、略四角形の窪みである。凹部８７は、第１の内側面８７ａと、第２の内側面８７ｂと、第３の内側面８７ｃとを有する。第１の内側面８７ａは、第３の制限部の一例である。第１乃至第３の内側面８７ａ，８７ｂ，８７ｃは、収容口８４の内部に位置する。
【００８３】
第１の内側面８７ａは、Ｙ軸に沿う正方向に向く略平坦な面である。第２の内側面８７ｂは、Ｚ軸に沿う負方向に向く略平坦な面である。第３の内側面８７ｃは、Ｚ軸に沿う正方向に向く略平坦な面であり、第２の内側面８７ｂに向く。
【００８４】
凹部８７に、内筐体４１の突起７３が収容される。突起７３の第１の側端面７３ａは、第１の内側面８７ａに面する。第２の側端面７３ｂは、第２の内側面８７ｂに面する。第３の側端面７３ｃは、第３の内側面８７ｃに面する。
【００８５】
第１の側端面７３ａは、第１の内側面８７ａに接触することで、内筐体４１が外筐体４２に対してＹ軸に沿う負方向に移動することを制限する。すなわち、第１の側端面７３ａは、第１の内側面８７ａに接触することで、内筐体４１が外筐体４２に対して収容口８４の内側に向かって移動することを制限する。
【００８６】
第２の側端面７３ｂは、第２の内側面８７ｂに接触することで、内筐体４１が外筐体４２に対してＺ軸に沿う正方向に移動することを制限する。第３の側端面７３ｃは、第３の内側面８７ｃに接触することで、内筐体４１が外筐体４２に対してＺ軸に沿う負方向に移動することを制限する。
【００８７】
図６に示すように、第１の壁５２と第１のバネ部５３との接続部６５は、Ｙ軸に沿う方向において、突起７３が設けられた範囲内に位置する。このため、突起７３は、第１のバネ部５３が接続部６５を支点に曲げられるときに第１の壁５２及び第１のバネ部５３の損傷を抑制するよう、内筐体４１を補強する。
【００８８】
図８は、第１の実施形態のＵＳＢメモリ１０の構成の一例を示すブロック図である。図８に示すように、コントローラ１４は、ＵＳＢコネクタ１５とフラッシュメモリ１３との間のデータの伝送を制御する。
【００８９】
コントローラ１４は、ＵＳＢインターフェース（Ｉ／Ｆ）１４ａ、ＭＰＵ１４ｂ、ＲＯＭ１４ｃ、ＲＡＭ１４ｄ、メモリインターフェース（Ｉ／Ｆ）１４ｅ、及び内部バス１４ｆを有する。ＵＳＢ  Ｉ／Ｆ１４ａ、ＭＰＵ１４ｂ、ＲＯＭ１４ｃ、ＲＡＭ１４ｄ、メモリＩ／Ｆ１４ｅ、及び内部バス１４ｆは、例えば、一つの半導体基板上に形成される。
【００９０】
ＵＳＢ  Ｉ／Ｆ１４ａは、ＵＳＢコネクタ１５を介して、ホスト装置からデータ及びコマンドを受信する。当該データ及びコマンドは、例えばＳＣＳＩ（Ｓｍａｌｌ  Ｃｏｍｐｕｔｅｒ  Ｓｙｓｔｅｍ  Ｉｎｔｅｒｆａｃｅ）の標準フォーマットに従って記述される。ＵＳＢ  Ｉ／Ｆ１４ａは、フラッシュメモリ１３から読み出されたデータを、ＳＣＳＩの標準フォーマットに従って、ＵＳＢコネクタ１５を介してホスト装置へ出力する。
【００９１】
ＭＰＵ１４ｂは、ホスト装置から受信したコマンドと、フラッシュメモリ１３から受信したデータとを、例えばＲＯＭ１４ｃ及びＲＡＭ１４ｄを用いて処理する。さらに、ＭＰＵ１４ｂは、ＵＳＢメモリ１０がホスト装置に接続されたとき、ホスト装置とＵＳＢメモリ１０との間の認証処理を行う。
【００９２】
ＲＯＭ１４ｃは、ＭＰＵ１４ｂにおける処理に必要なデータやプログラムなどを保持する。ＲＡＭ１４ｄは、ＭＰＵ１４ｂの処理における作業領域として機能する。ＲＡＭ１４ｄは、例えば、ＤＲＡＭのような揮発性の半導体メモリである。
【００９３】
メモリＩ／Ｆ１４ｅは、例えば、複数の配線によってフラッシュメモリ１３に接続される。メモリＩ／Ｆ１４ｅは、ＭＰＵ１４ｂの命令に従って、ＵＳＢ  Ｉ／Ｆ１４ａで受信したコマンド及びデータをフラッシュメモリ１３へ転送し、フラッシュメモリ１３から読み出されたデータをＵＳＢ  Ｉ／Ｆ１４ａへ転送する。
【００９４】
フラッシュメモリ１３は、コントローラ１４から与えられる読み出しコマンドに従ってデータを読み出して出力する。フラッシュメモリ１３は、コントローラ１４から与えられる書き込みコマンドに従ってデータを記録する。
【００９５】
以上説明されたＵＳＢメモリ１０のＵＳＢコネクタ１５が例えばホスト装置のソケットから抜かれるとき、図５に矢印で示すように、外筐体４２に引張力Ｆｔ１が作用する。例えば、ユーザの手が外筐体４２を引っ張ることで、外筐体４２に引張力Ｆｔ１が作用する。
【００９６】
外筐体４２が引張力Ｆｔ１で引っ張られると、ソケットに保持されるＵＳＢコネクタ１５に引張力（抵抗）Ｆ２が作用する。ＵＳＢコネクタ１５に作用する引張力Ｆｔ２は、内筐体４１にも作用する。
【００９７】
引張力Ｆｔ１，Ｆ２により、ＵＳＢコネクタ１５及び内筐体４１は、外筐体４２に対してＹ軸に沿う正方向に移動しようとする。言い換えると、ＵＳＢコネクタ１５及び内筐体４１は、外筐体４２の収容口８４から抜けようとする。このとき、開口８６の第１の受け面８６ａが凸部６６の第１の係止面６６ａに接触し、押圧力Ｆｔ３を作用させる。
【００９８】
上述のように、第１のバネ部５３は、第１の壁５２から、Ｙ軸に沿う正方向に延びる。言い換えると、第１のバネ部５３は、第１の壁５２から、第１の内面８５ａに沿う方向であって、保持部５１の外端５１ａに近づく方向に延びる。このように延びる第１のバネ部５３は、接続部６５を支点に、弾性的に曲げられることが可能である。
【００９９】
押圧力Ｆｔ３の方向は、接続部６５に向かう方向と異なる。このため、押圧力Ｆｔ３により、第１のバネ部５３は接続部６５を支点に、回転方向Ｄ１に回転しようとする。すなわち、押圧力Ｆｔ３は第１のバネ部５３にトルクを作用させる。
【０１００】
回転方向Ｄ１は、第１のバネ部５３が収容口８４の第１の内面８５ａに近づく方向である。このため、凸部６６は開口８６にさらに深く入り込もうとする。また、第１のバネ部５３の表面５３ａは、収容口８４の第１の内面８５ａに押し付けられる。第１の内面８５ａが表面５３ａを受け止めるため、第１のバネ部５３が変形することは抑制される。
【０１０１】
上記のように、内筐体４１を収容口８４から抜く方向の引張力Ｆｔ１，Ｆ２が生じると、第１のバネ部５３は、凸部６６が開口８６から抜ける方向の反対方向に曲がろうとする。これにより、凸部６６が開口８６から抜けることが抑制され、外筐体４２に対して内筐体４１がＹ軸に沿う正方向に移動することが制限される。
【０１０２】
また、上述のように、図４に示す保持部５１の内端５１ｂは、基板１２の第１の端縁２５に面する。保持部５１の内端５１ｂは、第１の端縁２５に接触することで、基板１２が内筐体４１に対してＹ軸に沿う正方向に移動することを制限する。これにより、基板１２に搭載されたＵＳＢコネクタ１５が、内筐体４１に対してＹ軸に沿う正方向に移動することを制限する。
【０１０３】
一方、ＵＳＢメモリ１０のＵＳＢコネクタ１５がソケットに挿入されるとき、図５に矢印で示すように、外筐体４２に押圧力Ｆｔ４が作用する。例えば、ユーザの手が外筐体４２を押すことで、外筐体４２に押圧力Ｆｔ４が作用する。
【０１０４】
外筐体４２が押圧力Ｆｔ４で押されると、ソケットに挿入されるＵＳＢコネクタ１５に押圧力（抵抗）Ｆ５が作用する。ＵＳＢコネクタ１５に作用する押圧力Ｆｔ５は、内筐体４１にも作用する。
【０１０５】
押圧力Ｆｔ４，Ｆ５により、ＵＳＢコネクタ１５及び内筐体４１は、外筐体４２に対してＹ軸に沿う負方向に移動しようとする。言い換えると、ＵＳＢコネクタ１５及び内筐体４１は、外筐体４２の収容口８４の内側に向かって移動しようとする。このとき、図４に示す突起７３の第１の側端面７３ａが凹部８７の第１の内側面８７ａに接触する。
【０１０６】
上述のように、第１の側端面７３ａは、第１の内側面８７ａに接触することで、内筐体４１が外筐体４２に対してＹ軸に沿う負方向に移動することを制限する。すなわち、第１の側端面７３ａは、第１の内側面８７ａに接触することで、内筐体４１が外筐体４２に対して収容口８４の内側に向かって移動することを制限する。
【０１０７】
また、上述のように、図５に示す爪６８は、ＵＳＢコネクタ１５の先端部３２ａに接触することで、ＵＳＢコネクタ１５が内筐体４１に対してＹ軸に沿う負方向に移動することを制限する。このとき、ＵＳＢコネクタ１５を介して爪６８に押圧力Ｆｔ５が作用する。
【０１０８】
第２のバネ部５６は、接続部６７を支点に、弾性的に曲げられることが可能である。このため、押圧力Ｆｔ５により、第２のバネ部５６は接続部６７を支点に、回転方向Ｄ２に回転しようとする。
【０１０９】
回転方向Ｄ２は、第２のバネ部５６が収容口８４の第２の内面８５ｂに近づく方向である。言い換えると、回転方向Ｄ２は、爪６８が先端部３２ａから外れる方向である。しかし、Ｚ軸に沿う正方向において、第２のバネ部５６と第２の内面８５ｂとの間の距離は、爪６８とＵＳＢコネクタ１５の実装部３２の先端部３２ａとが対向する距離よりも短い。このため、第２のバネ部５６のリブ６９が第２の内面８５ｂに接触することで、第２のバネ部５６が回転方向Ｄ２に曲げられることが抑制され、爪６８は先端部３２ａに引っ掛けられた状態に保たれる。
【０１１０】
以上説明された第１の実施形態に係るＵＳＢメモリ１０において、第１のバネ部５３は、収容口８４の内部に位置する内筐体４１の第１の壁５２から、第１の内面８５ａに沿う方向であって内筐体４１の外端５１ａに近づく方向に延びる。収容口８４から外部へ向かう方向への力が内筐体４１に作用すると、凸部６６と開口８６との接触部に押圧力Ｆｔ３が作用する。押圧力Ｆｔ３は、第１の壁５２と第１のバネ部５３との接続部６５を支点に第１の内面８５ａへ向かって曲がるような回転方向Ｄ１の力を第１のバネ部５３に作用させる。このため、凸部６６と開口８６との嵌合が解除されることが抑制され、内筐体４１が外筐体４２から外れることが抑制される。
【０１１１】
凸部６６は、Ｙ軸に沿う正方向における第１のバネ部５３の先端５３ｂから離間して配置される。収容口８４から外部へ向かう方向への力が内筐体４１に作用すると、凸部６６と開口８６との接触部に押圧力Ｆｔ３が作用する。押圧力Ｆｔ３は、第１の壁５２と第１のバネ部５３との接続部６５を支点に第１の内面８５ａへ向かって曲がるような回転方向Ｄ１の力を第１のバネ部５３に作用させる。このとき、表面５３ａの一部が第１の内面８５ａに押し当てられることで、第１のバネ部５３が曲げられることが抑制されるとともに、当該表面５３ａの一部と第１の内面８５ａとの間の摩擦力が強くなる。従って、第１のバネ部５３が破損することが抑制されるとともに、内筐体４１が外筐体４２から外れることが抑制される。
【０１１２】
Ｙ軸に沿う正方向において、第１のバネ部５３の先端５３ｂは、コントローラ１４とＵＳＢコネクタ１５の第２の端部３１ｂとの間に位置する。例えば内筐体４１が外筐体４２に取り付けられるとき、第１のバネ部５３が、第１の壁５２と第１のバネ部５３との接続部６５を支点に、基板１２に向かう方向へ弾性的に曲げられる。このとき、第１のバネ部５３の先端５３ｂは、コントローラ１４とＵＳＢコネクタ１５の第２の端部３１ｂとの間に入る。これにより、曲げられた第１のバネ部５３がＵＳＢコネクタ１５及びコントローラ１４に接触することが抑制され、ＵＳＢコネクタ１５及びコントローラ１４が損傷することが抑制される。また、第２の端部３１ｂが面する第１の端縁２５の周辺は、電子部品や配線が設けられないデッドスペースとなることがある。しかし、本実施形態では、当該デッドスペースが第１のバネ部５３の回避地として有効活用される。
【０１１３】
第１の内面８５ａは、開端部８１に近づくに従って基板１２から遠ざかるような斜面であっても良い。この場合、例えば内筐体４１が外筐体４２に取り付けられるとき、斜面である第１の内面８５ａが凸部６６を押し下げ、第１のバネ部５３が基板１２に向かう方向へ弾性的に曲げられる。従って、内筐体４１が容易に外筐体４２に取り付けられる。
【０１１４】
第１の側壁７１の第１の端面７１ａは、第１の内面８５ａよりも基板１２の第１の実装面２１に近く、且つ第１の実装面２１に面する。第２の側壁７２の第２の端面７２ａは、第２の内面８５ｂよりも第２の実装面２２に近く、且つ第２の実装面２２に面する。このため、第１の端面７１ａは、第１の実装面２１に接触することで基板１２が内筐体４１に対して第１の実装面２１が向く方向に移動することを制限する。第２の端面７２ａは、第２の実装面２２に接触することで基板１２が内筐体４１に対して第２の実装面２２が向く方向に移動することを制限する。これにより、基板１２の厚さ方向において、基板１２及びＵＳＢコネクタ１５が内筐体４１に対して移動することが抑制される。
【０１１５】
内筐体４１は、ＵＳＢコネクタ１５が搭載された基板１２の第１の端縁２５に面する。このため、基板１２及びＵＳＢコネクタ１５は、内筐体４１に対してＹ軸に沿う正方向に移動することを制限される。また、第２のバネ部５６の爪６８は、ＵＳＢコネクタ１５の先端部３２ａに面する。爪６８は、先端部３２ａに接触することでＵＳＢコネクタ１５が内筐体４１に対してＹ軸に沿う負方向に移動することを制限する。これにより、ＵＳＢコネクタ１５がソケットに挿入されるとき、及びＵＳＢコネクタ１５がソケットから抜かれるとき、にＵＳＢコネクタ１５が内筐体４１から外れることが抑制される。
【０１１６】
例えばＵＳＢコネクタ１５がソケットに取り付けられるとき、第２のバネ部５６が、保持部５１と第２のバネ部５６との接続部６７を支点に、爪６８が先端部３２ａから外れる回転方向Ｄ２に曲がろうとする。しかし、Ｚ軸に沿う正方向において、第２のバネ部５６と第２の内面８５ｂとの間の距離は、爪６８と先端部３２ａとが対向する距離よりも短い。このため、第２のバネ部５６は、第２の内面８５ｂに接触することで回転方向Ｄ２に第２のバネ部５６が曲がることを制限する。これにより、ＵＳＢコネクタ１５が内筐体４１から外れることがより確実に抑制される。
【０１１７】
収容口８４の内部へ向かう方向への力が内筐体４１に作用すると、凸部６６の第２の係止面６６ｂと開口８６の第２の受け面８６ｂとの接触部に力が作用することがある。当該力は、保持部５１と第１のバネ部５３との接続部６５を支点に第１の内面８５ａから遠ざかる方向に曲がるような回転方向の力を第１のバネ部５３に作用させる。しかし、内筐体４１の突起７３が外筐体４２の凹部８７に収容され、突起７３の第１の側端面７３ａが凹部８７の第１の内側面８７ａに面する。第１の側端面７３ａが第１の内側面８７ａに接触することで、内筐体４１が外筐体４２に対してＹ軸に沿う負方向に移動することを制限する。このため、凸部６６と開口８６との嵌合が解除されることが抑制され、内筐体４１が外筐体４２から外れることが抑制される。
【０１１８】
第１の実施形態において、内筐体４１に突起７３が設けられ、外筐体４２に凹部８７が設けられる。しかし、内筐体４１に凹部が設けられ、外筐体４２の内周面８５に突起が設けられても良い。この場合、凹部に突起が収容され、突起のＹ軸に沿う正方向に向く部分（第３の制限部の一例）と、凹部のＹ軸に沿う負方向に向く部分（第４の制限部の一例）とが互いに面する。突起が凹部に接触することで、内筐体４１が外筐体４２に対してＹ軸に沿う負方向に移動することを制限する。このため、凸部６６と開口８６との嵌合が解除されることが抑制され、内筐体４１が外筐体４２から外れることが抑制される。
【０１１９】
以上述べたように、内筐体４１は、ＵＳＢコネクタ１５及び基板１２が内筐体４１に対しＸ軸に沿う方向、Ｙ軸に沿う方向、及びＺ軸に沿う方向に移動することを制限する。外筐体４２がＵＳＢコネクタ１５及び基板１２を保持する必要が無いため、外筐体４２の形状の自由度が向上する。さらに、外筐体４２の設計が変形されたとしても、内筐体４１の性能に係る評価試験の少なくとも一部を省略することが可能となり、ＵＳＢコネクタ１５の開発コストの増大が抑制される。
【０１２０】
（第２の実施形態）
以下に、第２の実施形態について、図９を参照して説明する。なお、以下の実施形態の説明において、既に説明された構成要素と同様の機能を持つ構成要素は、当該既述の構成要素と同じ符号が付され、さらに説明が省略される場合がある。また、同じ符号が付された複数の構成要素は、全ての機能及び性質が共通するとは限らず、各実施形態に応じた異なる機能及び性質を有していても良い。
【０１２１】
図９は、第２の実施形態に係るＵＳＢメモリ１０を、外筐体４２を除いて示す平面図である。図９に示すように、第２の実施形態の内筐体４１は、二つの第１のバネ部５３と、二つの凸部６６とを有する。
【０１２２】
二つの第１のバネ部５３はそれぞれ、第１の壁５２から、第１の内面８５ａに沿う方向であって、Ｙ軸に沿う正方向と直交する方向に延びる。例えば、一方の第１のバネ部５３は、第１の壁５２から、Ｘ軸に沿う正方向に延びる。他方の第１のバネ部５３は、第１の壁５２から、Ｘ軸に沿う負方向に延びる。
【０１２３】
二つの凸部６６は、二つの第１のバネ部５３の表面５３ａから突出する。二つの凸部６６は、外筐体４２に設けられた二つの開口８６に収容される。凸部６６が開口８６に収容されることで、凸部６６が設けられた第１のバネ部５３は、外筐体４２に対して内筐体４１がＹ軸に沿う正方向及びＹ軸に沿う負方向に移動することを制限する。
【０１２４】
第２の実施形態のＵＳＢメモリ１０のＵＳＢコネクタ１５がソケットから抜かれるとき、外筐体４２に引張力が作用する。当該引張力により、ＵＳＢコネクタ１５及び内筐体４１は、外筐体４２に対してＹ軸に沿う正方向に移動しようとする。このとき、開口８６が凸部６６に接触し、第１のバネ部５３を捩る力を作用させる。
【０１２５】
上記力により、表面５３ａのＹ軸に沿う正方向側の部分は、収容口８４の第１の内面８５ａに近づくように捩られようとする。このため、凸部６６は開口８６にさらに深く入り込もうとする。また、第１のバネ部５３の表面５３ａは、収容口８４の第１の内面８５ａに押し付けられる。第１の内面８５ａが表面５３ａを受け止めるため、第１のバネ部５３が変形することは抑制される。
【０１２６】
上記のように、内筐体４１を収容口８４から抜く方向の引張力が生じると、第１のバネ部５３は、凸部６６が開口８６から抜ける方向と異なる方向に曲がろうとする。これにより、凸部６６が開口８６から抜けることが抑制され、外筐体４２に対して内筐体４１がＹ軸に沿う正方向に移動することが制限される。
【０１２７】
例えば、ＵＳＢメモリ１０がソケットから抜かれる場合、ユーザは、Ｙ軸まわりに回転する（捩る）方向の力を外筐体４２に作用させることがある。本実施形態では、ＵＳＢメモリ１０が、Ｘ軸に沿う正方向に延びる第１のバネ部５３と、Ｘ軸に沿う負方向に延びる第１のバネ部５３とを有するため、外筐体４２が捩られたときに凸部６６が開口８６から抜けることが抑制される。
【０１２８】
以上説明された第２の実施形態のＵＳＢメモリ１０において、第１のバネ部５３は、収容口８４の内部に位置する内筐体４１の第１の壁５２から、第１の内面８５ａに沿う方向であってＹ軸に沿う正方向と直交する方向に延びる。収容口８４から外部へ向かう方向への力が内筐体４１に作用すると、凸部６６と開口８６との接触部に力が作用する。当該力は、第１のバネ部５３を捩るような回転方向の力を第１のバネ部５３に作用させる。このため、凸部６６と開口８６との嵌合が解除されることが抑制され、内筐体４１が外筐体４２から外れることが抑制される。
【０１２９】
以上説明された少なくとも一つの実施形態によれば、第１の方向に開く収容口に、ＵＳＢコネクタを保持する保持部材の少なくとも一部が収められ、凸部が設けられた第１の延部が、保持部材の端部に近づく方向又は第１の方向と直交する方向に延びる。これにより、保持部材が筐体から外れることが抑制される。
【０１３０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１３１】
１０…ＵＳＢメモリ、１２…基板、１４…コントローラ、１５…ＵＳＢコネクタ、２１…第１の実装面、２２…第２の実装面、２５…第１の端縁、３１…挿入部、３１ｂ…第２の端部、３２…実装部、３２ａ…先端部、４１…内筐体、４２…外筐体、５１…保持部、５１ａ…外端、５２…第１の壁、５３…第１のバネ部、５３ａ…表面、５３ｂ…先端、５６…第２のバネ部、６１…挿通口、６６…凸部、６８…爪、７１…第１の側壁、７１ａ…第１の端面、７２…第２の側壁、７２ａ…第２の端面、７３…突起、７３ａ…第１の側端面、８４…収容口、８５…内周面、８５ａ…第１の内面、８５ｂ…第２の内面、８６…開口、８７…凹部、８７ａ…第１の内側面。
【図１】
2018163494.tif 000003
【図２】
2018163494.tif 000004
【図３】
2018163494.tif 000005
【図４】
2018163494.tif 000006
【図５】
2018163494.tif 000007
【図６】
2018163494.tif 000008
【図７】
2018163494.tif 000009
【図８】
2018163494.tif 000010
【図９】
2018163494.tif 000011